(57)【要約】【課題】更新データの提供期間が終了した後であっても、接続される外部機器のソフトウェアの更新を行うことが可能なデジタル放送受信機を提供する。【解決手段】デジタル放送信号に含まれている、デジタル放送受信機１００のソフトウェアを更新するための更新データと、デジタル放送受信機１００の製造会社が製造した他の自社製品のソフトウェアを更新するための更新データとをダウンロードし、ダウンロードした更新データを格納部１６に格納する。デジタル放送受信機１００に他の自社製品が接続された場合に、格納部１６に格納されている更新データのうち、接続された自社製品に対応する更新データを抽出して当該自社製品へ出力する。【選択図】図２
2010187067.tif 000002
【特許請求の範囲】
【請求項１】
デジタル放送信号に付加された更新データによりソフトウェアを更新するデジタル放送受信機であって、
前記デジタル放送信号に含まれている、当該デジタル放送受信機のソフトウェアを更新するための更新データと、当該デジタル放送受信機の製造会社が製造した他の自社製品のソフトウェアを更新するための更新データとをダウンロードし、
前記ダウンロードした更新データを格納部に格納し、
当該デジタル放送受信機に前記他の自社製品が接続された場合に、前記格納部に格納されている更新データのうち、接続された自社製品に対応する更新データを抽出して当該自社製品へ出力することを特徴とするデジタル放送受信機。
【請求項２】
請求項１に記載のデジタル放送受信機において、
当該受信機の製造会社を表すメーカーＩＤ、および当該受信機に固有の機器ＩＤを記憶した記憶部と、
前記デジタル放送信号からダウンロード告知データを抽出し、前記ダウンロード告知データに基づいて、前記更新データのダウンロードの予約設定を行い、その後、前記更新データのダウンロードを実行する制御部と、を備え、
前記制御部は、
前記メーカーＩＤと前記ダウンロード告知データに含まれている製造会社を表す第１の識別子とが一致するか否か、および、前記機器ＩＤと前記ダウンロード告知データに含まれている機器固有の第２の識別子とが一致するか否かをそれぞれ検証し、
前記メーカーＩＤと前記第１の識別子とが一致し、かつ、前記機器ＩＤと前記第２の識別子とが一致する場合は、前記ダウンロードの予約設定を行った後、当該予約設定に従って、当該デジタル放送受信機に対応する更新データをダウンロードし、
前記メーカーＩＤと前記第１の識別子とが一致し、かつ、前記機器ＩＤと前記第２の識別子とが一致しない場合は、前記ダウンロードの予約設定を行った後、当該予約設定に従って、当該デジタル放送受信機に接続される前記他の自社製品に対応する更新データをダウンロードし、
前記メーカーＩＤと前記第１の識別子とが一致しない場合は、前記ダウンロードの予約設定を行わないことを特徴とするデジタル放送受信機。
【請求項３】
請求項２に記載のデジタル放送受信機において、
前記制御部は、
前記メーカーＩＤと前記第１の識別子とが一致し、かつ、前記機器ＩＤと前記第２の識別子とが一致しない場合に、前記更新データに前記第２の識別子の情報を付加した後、当該更新データを前記記憶部に移動させることを特徴とするデジタル放送受信機。
【請求項４】
請求項２または請求項３に記載のデジタル放送受信機において、
前記制御部は、当該デジタル放送受信機に外部機器が接続された場合に、当該外部機器の認証処理を行い、
前記認証処理の結果、接続された外部機器が前記他の自社製品であると判定された場合は、当該自社製品に対応する更新データを前記外部機器に出力することを特徴とするデジタル放送受信機。
【発明の詳細な説明】
【技術分野】
【０００１】
本発明は、デジタル放送信号に付加された各種ソフトウェアやコンテンツのダウンロードを行うデジタル放送受信機に関するものである。
【背景技術】
【０００２】
近年のデジタル技術の発達により、放送の分野でもデジタル化が進み、例えば、地上波デジタルテレビジョン放送やＢＳ（Broadcasting  Satellite）デジタル放送、ＣＳ（Communications  Satellite）デジタル放送等のデジタル放送が広く実用化されている。
【０００３】
このようなデジタル放送では、多種多様なサービス機能の拡張が予定されているため、当該デジタル放送を受信するデジタル放送受信機において、拡張されたサービス機能に対応するためには、当該デジタル放送受信機に搭載されているソフトウェアの更新を行わなければならない。
【０００４】
この場合の更新用のソフトウェアは、デジタル放送信号に付加されて、いわゆるオンエア・ダウンロードの形で不定期にユーザに提供される。ユーザは、デジタル放送受信機がアンテナに接続されて受信可能となっている状態で、デジタル放送信号を受信することにより、放送信号に含まれている更新用のソフトウェアをダウンロードし、ソフトウェアの更新を行う。
【０００５】
このため、更新用のソフトウェアを提供しようとするデジタル放送受信機のメーカーは、ダウンロードサービスを行う事業者に対して、当該サービスの申し込みを行うとともに、当該事業者から委託を受けている委託業者に対して、ソフトウェア更新のためのコンテンツを提出する。委託業者は、このコンテンツに対してデータの埋め込み等の必要な処理を行った後、当該コンテンツを放送事業者に配信する。
【０００６】
上述したコンテンツは、新バージョンのソフトウェアを含む更新用のデータ（以下、「更新データ」と記載）や、当該更新データのダウンロードスケジュール等を告知するためのＳＤＴＴ（Software Download Trigger Table）等から構成されている。そして、まずＳＤＴＴが各放送事業者の各放送局へ配信された後、ＥＰＧ（Electronic  Program Guide：電子番組表）と一緒に、当該放送局から放送される。したがって、デジタル放送受信機では、放送受信時にＳＤＴＴも受信される。その後、放送信号に組み込まれた更新データが放送局から放送され、デジタル放送受信機は、先に受信したＳＤＴＴに基づくダウンロードスケジュールに従って、当該更新データをダウンロードし、旧バージョンのソフトウェアを新バージョンのソフトウェアに更新する。
【０００７】
例えば、日本国内においては、デジタル放送受信機へのダウンロードサービス事業を行う事業者として、「Ｄｐａ：社団法人デジタル放送推進協会（Association for Promotion of Digital Broadcasting）」があり、この事業者から事業の委託を受けている委託業者として、「Ｂ−ＳＡＴ：株式会社放送衛星システム（Broadcasting Satellite System Corporation）」がある。
【０００８】
図６は、デジタル放送受信システムの一例を示す図である。テレビ受像機５１は、アンテナ７を介して、放送局１から放送されるデジタル放送信号２を受信する。ここで、周知の通り、デジタル放送信号２は、映像４や音声５、データ６などの個別のストリームを共通の信号形式で扱い、多重化信号としたトランスポートストリーム（以下、「ＴＳ」と略す）３である。尚、以下においては、映像４のストリームを「映像ＳＴ４」、音声５のストリームを「音声ＳＴ５」、データ６のストリームを「データＳＴ６」と、それぞれ記載する。また、上述した更新データ、ＳＤＴＴ、ＥＰＧ等は、ＴＳ３のデータＳＴ６に含まれている。
【０００９】
これにより、テレビ受像機５１は、デジタル放送信号２を受信した際に、データＳＴ６に含まれている更新データのダウンロードを行うため、当該更新データによりソフトウェアの更新を行うことができ、以って、人手を煩わせることなく、当該ソフトウェアを拡張されたサービス機能に追従させることが出来る。後掲の特許文献１〜４には、デジタル放送受信機におけるソフトウェアの更新に関する技術が開示されている。
【発明の概要】
【発明が解決しようとする課題】
【００１０】
図６のシステムにおいて、テレビ受像機５１のソフトウェアをオンエア・ダウンロードによって更新する場合、テレビ受像機５１がデジタル放送信号２を受信しない限り、当該テレビ受像機５１のソフトウェアに対応する更新データをダウンロードすることが出来ない。このため、デジタル放送信号２を受信出来ない状態、例えば、店舗の倉庫内に在庫として保管されている状態のテレビ受像機５１は、ソフトウェアの更新を行うことが出来ないため、当該テレビ受像機５１を拡張されたサービス機能に追従させることは出来ない。
【００１１】
また、所有機器のソフトウェアに対応する更新データの提供期間（オンエア・ダウンロードが可能な期間）が終了していた場合は、当該更新データをダウンロードすることが出来ない。このため、例えば、旧型のテレビ受像機５１の購入時や、テレビ受像機５１の設定初期化時において、上記期間が終了していた場合は、ソフトウェアの更新を行うことが出来ないため、当該テレビ受像機５１を拡張されたサービス機能に追従させることが出来ない。
【００１２】
本発明は、上述した問題点に鑑み、更新データの提供期間が終了した後であっても、接続される外部機器のソフトウェアの更新を行うことが可能なデジタル放送受信機を提供することを目的としている。
【課題を解決するための手段】
【００１３】
本発明に係るデジタル放送受信機は、デジタル放送信号に付加された更新データによりソフトウェアを更新するデジタル放送受信機であって、デジタル放送信号に含まれている、当該デジタル放送受信機のソフトウェアを更新するための更新データと、当該デジタル放送受信機の製造会社が製造した他の自社製品のソフトウェアを更新するための更新データとをダウンロードし、ダウンロードした更新データを格納部に格納する。そして、当該デジタル放送受信機に他の自社製品が接続された場合に、格納部に格納されている更新データのうち、接続された自社製品に対応する更新データを抽出して当該自社製品へ出力する。
【００１４】
このようにすることで、デジタル放送受信機は、当該受信機のソフトウェアに対応した更新データだけでなく、同じ製造会社で製造された他の自社製品のソフトウェアに対応した更新データもダウンロードすることが出来るため、デジタル放送受信機に接続される外部機器が旧型の自社製品であって、更新データの提供期間が終了していたような場合でも、外部機器のソフトウェアを更新することが可能となる。
【００１５】
本発明のデジタル放送受信機は、当該受信機の製造会社を表すメーカーＩＤ、および当該受信機に固有の機器ＩＤを記憶した記憶部と、デジタル放送信号からダウンロード告知データを抽出し、このダウンロード告知データに基づいて、更新データのダウンロードの予約設定を行い、その後、更新データのダウンロードを実行する制御部とを備えていてもよい。この場合、制御部は、メーカーＩＤとダウンロード告知データに含まれている製造会社を表す第１の識別子とが一致するか否か、および、機器ＩＤとダウンロード告知データに含まれている機器固有の第２の識別子とが一致するか否かをそれぞれ検証する。そして、メーカーＩＤと第１の識別子とが一致し、かつ、機器ＩＤと第２の識別子とが一致する場合は、ダウンロードの予約設定を行った後、当該予約設定に従って、当該デジタル放送受信機に対応する更新データをダウンロードする。また、メーカーＩＤと第１の識別子とが一致し、かつ、機器ＩＤと第２の識別子とが一致しない場合は、ダウンロードの予約設定を行った後、当該予約設定に従って、当該デジタル放送受信機に接続される他の自社製品に対応する更新データをダウンロードする。また、メーカーＩＤと第１の識別子とが一致しない場合は、ダウンロードの予約設定を行わない。
【００１６】
このようにすることで、デジタル放送受信機の製造会社が製造した製品のソフトウェアに対応する更新データのみをダウンロードし、他社製品のソフトウェアに対応する更新データをダウンロードしないようにすることができる。
【００１７】
本発明のデジタル放送受信機において、制御部は、メーカーＩＤと第１の識別子とが一致し、かつ、機器ＩＤと第２の識別子とが一致しない場合に、更新データに第２の識別子の情報を付加した後、当該更新データを記憶部に移動させてもよい。
【００１８】
このようにすることで、格納部を、記憶部よりも容量が小さい記憶媒体で構成することが出来るため、コストの削減を図ることが出来る。
【００１９】
本発明のデジタル放送受信機において、制御部は、当該デジタル放送受信機に外部機器が接続された場合に、当該外部機器の認証処理を行い、認証処理の結果、接続された外部機器が他の自社製品であると判定された場合は、当該自社製品に対応する更新データを外部機器に出力するようにしてもよい。
【００２０】
このようにすることで、外部機器は、デジタル放送受信機から取得した更新データに基づいて、ソフトウェアの更新を行うことが出来るため、更新データの提供期間が終了した場合においても、当該外部機器を拡張されたサービス機能に追従させることができ、以って、ユーザーの利便性を確保することが出来る。
【発明の効果】
【００２１】
本発明によれば、更新データの提供期間が終了した後であっても、接続される外部機器のソフトウェアの更新を行うことが可能なデジタル放送受信機を提供することができる。
【図面の簡単な説明】
【００２２】
【図１】本発明のデジタル放送受信機を用いたデジタル放送受信システムを示した図である。
【図２】本発明のデジタル放送受信機の一例を示したブロック図である。
【図３】デジタル放送受信機の動作を示したフローチャートである。
【図４】ＳＤＴＴのデータ構造を示した図である。
【図５】記述子の詳細を示した図である。
【図６】オンエア・ダウンロードを説明するための図である。
【発明を実施するための形態】
【００２３】
以下、本発明の実施形態につき、図面を参照しながら説明する。以下の図では、  同一部分または対応する部分に同一符号を付してある。
【００２４】
図１は、本発明のデジタル放送受信機を用いたデジタル放送受信システムを示す図である。デジタル放送受信機１００は、例えばハードディスク・レコーダであり、アンテナ８を介して、放送局１から放送されるデジタル放送信号２を受信する。前述の通り、デジタル放送信号２は、映像４や音声５、データ６などの個別のストリームを共通の信号形式で扱い、多重化信号としたトランスポートストリーム（以下、「ＴＳ」と略す）３である。尚、以下においては、映像４のストリームを「映像ＳＴ４」、音声５のストリームを「音声ＳＴ５」、データ６のストリームを「データＳＴ６」と、それぞれ記載する。また、更新データ、ＳＤＴＴ、ＥＰＧ等は、ＴＳ３のデータＳＴ６に含まれている。
【００２５】
５００は、デジタル放送受信機１００に接続される外部機器であり、ここでは一例として、デジタル放送信号２の受信が可能なテレビ受像機５１とＳＴＢ（Set Top Box）５２が挙げられている。デジタル放送受信機１００と、テレビ受像機５１やＳＴＢ５２等の外部機器５００は、例えば、後掲の特許文献５に開示されているようなＨＤＭＩ（High  Definition  Multimedia Interface）ケーブルを用いて接続してもよく、この場合、１本のＨＤＭＩケーブルにより映像信号と音声信号を同時に伝送することが出来ると共に、機器間の制御信号を双方向に伝送することも出来る。
【００２６】
図２は、本発明に係るデジタル放送受信機１００の一例を示したブロック図である。デジタル放送受信機１００は、後述するラインＬ１〜Ｌ４を介して、外部機器５００との接続が可能な構成となっている。
【００２７】
デジタル放送受信機１００において、制御部１１は、例えば、ＣＰＵ（Central Processing Unit）から構成されており、当該デジタル放送受信機１００の各部を制御する。通信部１２は、制御部１１から出力された制御信号を、ラインＬ１を介して、外部機器５００の通信部（図示省略）に出力するとともに、外部機器５００の制御部（図示省略）から出力された制御信号を、ラインＬ１を介して、当該通信部１２に入力する。これにより、デジタル放送受信機１００と外部機器５００との間において、それぞれの制御部から出力される制御信号を双方向に伝送することが出来る。
【００２８】
記憶部１３は、例えば、フラッシュＲＯＭ（Read  Only Memory）やハードディスク等から構成されており、当該記憶部１３には、アプリケーションソフト等の様々なソフトウェアが記憶されている。一時記憶部１４は、例えば、ＲＡＭ（Random  Access Memory）から構成されており、制御部１１による制御処理や演算処理に必要なデータを記憶する。
【００２９】
放送信号処理部１５は、例えば、チューナやデマルチプレクサ等から構成されており、アンテナ８で受信したデジタル放送信号２を、図１に示すＴＳ（トランスポートストリーム）３に変換した後、当該ＴＳ３を映像ＳＴ４、音声ＳＴ５、データＳＴ６の個別のストリームに分離する。そして、当該分離後、映像ＳＴ４は映像ＳＴ処理部１７へ出力され、音声ＳＴ５は音声ＳＴ処理部１９へ出力され、データＳＴ６はデータＳＴ処理部２１へ出力される。
【００３０】
格納部１６は、例えば、ＥＥＰＲＯＭ（Electronically  Erasable and Programmable  Read Only Memory）から構成されており、データＳＴ処理部２１においてデータＳＴ６から抽出された種々のデータを格納する。
【００３１】
映像ＳＴ処理部１７は、入力された映像ＳＴ４に対して、画像処理等の所定の処理を行うと共に、当該処理が終了した映像を信号化して、つまり、映像信号として映像信号出力部１８に出力する。映像信号出力部１８は、入力された映像信号を、ラインＬ２を介して、外部機器５００の映像信号入力部（図示省略）に出力する。
【００３２】
音声ＳＴ処理部１９は、入力された音声ＳＴ５に対して、音声処理等の所定の処理を行うと共に、当該処理が終了した音声を信号化して、つまり、音声信号として音声信号出力部２０に出力する。音声信号出力部２０は、入力された音声信号を、ラインＬ３を介して、外部機器５００の音声信号入力部（図示省略）に出力する。
【００３３】
データＳＴ処理部２１は、入力されたデータＳＴ６に対して、データ処理等の所定の処理を行うことで、当該データＳＴ６に含まれている種々のデータ（ＳＤＴＴや更新データ等）を抽出し、また、抽出したこれらのデータを格納部１６に出力する。データ出力部２２は、制御部１１の制御の下、格納部１６および／または記憶部１３から、外部機器５００のデータ入力部（図示省略）へ、ラインＬ４を介して、所定のデータを出力する。
【００３４】
以上のような構成からなるデジタル放送受信機１００は、デジタル放送信号２を受信して更新データをダウンロードする場合、図３のフローチャートで示される所定の動作を実行する。
【００３５】
詳しくは、図３のステップＳ１では、デジタル放送受信機１００が、アンテナ８を介して、放送局１（図１）から放送されるデジタル放送信号２を受信する。
【００３６】
ステップＳ２では、受信したデジタル放送信号２が、放送信号処理部１５にてＴＳ３に変換され、当該ＴＳ３から分離されたデータＳＴ６が、データＳＴ処理部２１へ出力される。
【００３７】
ステップＳ３では、データＳＴ処理部２１が、入力されたデータＳＴ６に対して、データ処理等の所定の処理を行った後、当該データＳＴ６に含まれている種々のデータ（ＳＤＴＴや更新データ等）を抽出して格納部１６に出力する。
【００３８】
ステップＳ４では、制御部１１が、格納部１６に格納されているＳＤＴＴの検証を行う。ここで、ＳＤＴＴは、例えば、図４の６１で示されるような複数の記述子から成るデータ構造となっている。尚、ＳＤＴＴは、本発明におけるダウンロード告知データの一実施形態である。
【００３９】
図４のＳＤＴＴ６１において、記述子６２の「ｔａｂｌｅ＿ｉｄ＿ｅｘｔ」は、図５に示すような記述子６９、７０から構成される。ここで、記述子６９の「ｍａｋｅｒ＿ｉｄ」には、製造会社固有のＩＤが示されており、記述子７０の「ｍｏｄｅｌ＿ｉｄ」には、当該製造会社により製造された機器の型番が示されている。尚、記述子６９の「ｍａｋｅｒ＿ｉｄ」は、本発明における第１の識別子の一実施形態であり、記述子７０の「ｍｏｄｅｌ＿ｉｄ」は、本発明における第２の識別子の一実施形態である。
【００４０】
記述子６３の「ｎｕｍ＿ｏｆ＿ｃｏｎｔｅｎｔｓ」には、ＳＤＴＴ６１に記載されているダウンロードコンテンツの数が示されている。このダウンロードコンテンツとは、デジタル放送信号２に付加されている更新データのことである。
【００４１】
記述子６４の「ｔａｒｇｅｔ＿ｖｅｒｓｉｏｎ」には、更新対象となるコンテンツ（機器のソフトウェア）のバージョン情報が示されている。
【００４２】
記述子６５の「ｎｅｗ＿ｖｅｒｓｉｏｎ」には、ダウンロードコンテンツ（更新データ）のバージョン情報が示されている。記述子６６の「ｄｏｗｎｌｏａｄ＿ｌｅｖｅｌ」には、ダウンロードの重要度が示されており、例えば、当該記述子６６において「０１」が示されている場合は、更新データのダウンロードは強制的に行われ、「００」が示されている場合は、更新データのダウンロードは任意で行われる。尚、更新データのダウンロードが任意である場合は、ユーザーの判断により、ダウンロードの実行要否が決定される。
【００４３】
記述子６７の「ｓｔａｒｔ＿ｔｉｍｅ」には、ダウンロードコンテンツ（更新データ）の配信開始時間が示されており、記述子６８の「ｄｕｒａｔｉｏｎ」には、ダウンロードコンテンツの配信継続時間が示されている。尚、ＳＤＴＴ６１中のその他の記述子については、本フローチャートの説明において必要な記述子ではないため、説明を省略する。
【００４４】
図３のステップＳ５では、制御部１１により、予め記憶部１３に記憶されているデジタル放送受信機１００の製造会社を表すメーカーＩＤと、記述子６９（図５）の「ｍａｋｅｒ＿ｉｄ」とが一致するか否かが検証され、一致する場合（ステップＳ５：ＹＥＳ）は、ステップＳ６へ進み、一致しない場合（ステップＳ５：ＮＯ）は、本フローチャートを終了する。
【００４５】
ステップＳ６では、制御部１１により、予め記憶部１３に記憶されているデジタル放送受信機１００に固有の機器ＩＤ（例えば、型番）と、記述子７０（図５）の「ｍｏｄｅｌ＿ｉｄ」とが一致するか否かが検証され、一致する場合（ステップＳ６：ＹＥＳ）は、ステップＳ７へ進み、一致しない場合（ステップＳ６：ＮＯ）は、ステップＳ８へ進む。
【００４６】
ステップＳ７では、制御部１１により、予め記憶部１３に記憶されている内蔵ソフトウェアのバージョン情報が、記述子６４に示されているバージョン情報に該当するか否かが検証され、該当する場合（ステップＳ７：ＹＥＳ）は、ステップＳ８へ進み、該当しない場合（ステップＳ７：ＮＯ）は、本フローチャートを終了する。
【００４７】
ステップＳ８では、制御部１１により、ＳＤＴＴ６１（特に、記述子６６や記述子６７等）に基づいて、更新データをダウンロードするためのダウンロード予約が行われ、当該ダウンロード予約の設定情報は、一時記憶部１４に記憶される。
【００４８】
詳しくは、予め記憶部１３に記憶されているメーカーＩＤと、記述子６９の「ｍａｋｅｒ＿ｉｄ」とが一致し、かつ、予め記憶部１３に記憶されているデジタル放送受信機１００の機器ＩＤと、記述子７０の「ｍｏｄｅｌ＿ｉｄ」とが一致する場合は、デジタル放送受信機１００のソフトウェアに対応した更新データのダウンロード予約が行われる。
【００４９】
また、予め記憶部１３に記憶されているメーカーＩＤと、記述子６９の「ｍａｋｅｒ＿ｉｄ」とが一致し、かつ、予め記憶部１３に記憶されているデジタル放送受信機１００の機器ＩＤと、記述子７０の「ｍｏｄｅｌ＿ｉｄ」とが一致しない場合は、同じ製造会社により製造された他の自社製品である外部機器５００（テレビ受像機５１やＳＴＢ５２等）のソフトウェアに対応した更新データのダウンロード予約が行われる。
【００５０】
尚、このダウンロード予約は、ＳＤＴＴ６１内の記述子６６に示されている内容により予約形態が異なる。詳しくは、記述子６６に基づいて、更新データのダウンロードが強制される場合は、当該ダウンロード予約は自動で行われ、更新データのダウンロードが任意である場合は、当該ダウンロード予約は手動、つまり、ユーザによって行われる。
【００５１】
ステップＳ９では、ステップＳ８で行われたダウンロード予約、つまり、一時記憶部１４に記憶されているダウンロード予約設定情報に基づいて、その後に放送されるデジタル放送信号２に付加された更新データのダウンロードが実行され、ダウンロードされた更新データは、制御部１１の制御の下、格納部１６に格納される。
【００５２】
ステップＳ１０では、格納部１６に格納された更新データが、デジタル放送受信機１００のソフトウェアに対応している場合、つまり、ステップＳ８でのダウンロード予約において、記憶部１３に記憶されているデジタル放送受信機１００の機器ＩＤと、記述子７０の「ｍｏｄｅｌ＿ｉｄ」とが一致していた場合は、制御部１１は、当該更新データに従ってデジタル放送受信機１００のソフトウェアの更新を行う。これに伴い、本フローチャートは終了する。
【００５３】
また、格納部１６に格納された更新データが、デジタル放送受信機１００のソフトウェアに対応していない場合、つまり、ステップＳ８でのダウンロード予約において、記憶部１３に記憶されているデジタル放送受信機１００の機器ＩＤと、記述子７０の「ｍｏｄｅｌ＿ｉｄ」とが一致していなかった場合は、制御部１１は、当該更新データに「ｍｏｄｅｌ＿ｉｄ」の情報を付加した後、格納部１６から記憶部１３に移動させる。これに伴い、本フローチャートは終了する。
【００５４】
尚、デジタル放送受信機１００は、外部機器５００が接続された場合に、ラインＬ１を介して制御信号を伝送して、当該外部機器５００認証処理を開始する。詳しくは、当該認証処理により、デジタル放送受信機１００の製造会社と、外部機器５００の製造会社とが同じであるか否か、つまり、両機器のメーカーＩＤが一致するか否かを検証し、検証の結果、メーカーＩＤが一致する場合は、接続された外部機器５００が自社製品であると判定する。そして更に、記憶部１３に移動した更新データが、当該外部機器５００のソフトウェアに対応しているか否か、つまり、外部機器５００の機器ＩＤと、当該更新データに付加されている「ｍｏｄｅｌ＿ｉｄ」とが一致するか否かを検証する。そして、当該検証の結果、これらが一致する場合は、データ出力部２２からラインＬ４を介して、当該更新データを外部機器５００のデータ入力部（図示省略）に出力する。この結果、外部機器５００のソフトウェアが、デジタル放送受信機１００から取得した更新データによって更新される。
【００５５】
このように、上述した実施形態においては、予め記憶部１３に記憶されているメーカーＩＤと、記述子６９の「ｍａｋｅｒ＿ｉｄ」とが一致する場合は、ＳＤＴＴ６１に示されたダウンロードスケジュール（ダウンロード時刻、放送チャンネル等）に基づいて、自社製品の更新データをダウンロードするためのダウンロード予約設定が行われる。このため、デジタル放送受信機１００は、当該デジタル放送受信機１００のソフトウェアに対応した更新データだけでなく、同じ製造会社で製造された外部機器５００のソフトウェアに対応した更新データもダウンロードすることが出来る。これにより、外部機器５００が、デジタル放送受信機１００に接続された場合に、デジタル放送受信機１００から外部機器５００へ、当該外部機器５００のソフトウェアに対応した更新データを出力することが出来る。したがって、更新データの提供期間に、デジタル放送受信機１００がアンテナ８を介してデジタル放送信号２を受信し、自社製品の更新データをダウンロードして格納部１６へ格納しておけば、更新データの提供期間が経過した後であっても、デジタル放送受信機１００に外部機器５００を接続して、外部機器５００のソフトウェアの更新を行うことが出来る。つまり、デジタル放送受信機１００と外部機器５００の双方を、拡張されたそれぞれのサービス機能に追従させることが可能となる。
【００５６】
本発明では、以上述べた以外にも種々の実施形態を採用することができる。例えば、上記実施形態では、通信部１２、映像信号出力部１８、音声信号出力部２０を別々に設けたが、これらを、例えば、特許文献５に開示されているＨＤＭＩ規格のような一纏めのインターフェースにしてもよい。これにより、それぞれのラインＬ１〜Ｌ３も一纏めされたラインとなるため、配線が簡素化されてユーザーの利便性が向上する。
【００５７】
また、上記実施形態においては、記憶部１３と格納部１６を別々に設けたが、これに限られず、記憶部１３のみを設けて、格納部１６に格納される種々のデータを当該記憶部１３に記憶してもよい。これにより、ダウンロードされた更新データが、デジタル放送受信機１００のソフトウェアに対応していない場合、制御部１１は、当該更新データを、格納部１６から記憶部１３に移動しなくてよいため、処理の高速化を図ることが出来る。また、格納部１６が不要となることにより、部品点数が低減するため、コストの削減を図ることが出来る。
【００５８】
さらに、上記実施形態においては、記憶部１３にデジタル放送受信機１００の製造会社を表すメーカーＩＤを記憶したが、これに限られず、例えば、この製造会社のグループ企業毎の固有のＩＤも併せて記憶してもよい。これにより、更に多くの更新データをダウンロードすることが出来るので、拡張されたサービス機能に追従させることが可能な機器の種別を拡大させることが出来る。
【符号の説明】
【００５９】
２    デジタル放送信号
３    トランスポートストリーム
６    データストリーム
８    アンテナ
１１  制御部
１２  通信部
１３  記憶部
１５  放送信号処理部
１６  格納部
２１  データＳＴ処理部
２２  データ出力部
６１  ＳＤＴＴ（Software
Download Trigger Table）
６２〜７０  記述子
１００  デジタル放送受信機
５００  外部機器
Ｌ１〜Ｌ４  ライン
【先行技術文献】
【特許文献】
【００６０】
【特許文献１】特開２００６−２５４０２７号公報
【特許文献２】特開２００７−２３５１９０号公報
【特許文献３】特開２００８−１４１５０４号公報
【特許文献４】特開２００８−２３６０３１号公報
【特許文献５】特開２００６−２０３７２５号公報
【図１】
2010187067.tif 000003
【図２】
2010187067.tif 000004
【図３】
2010187067.tif 000005
【図４】
2010187067.tif 000006
【図５】
2010187067.tif 000007
【図６】
2010187067.tif 000008